【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
正極電位と負極電位を有する直流母線と、前記直流母線間に接続される、正極端子と負極端子を有するパワー半導体モジュールと、正極端子と負極端子を有する第１のコンデンサと、正極端子と負極端子を有する第２のコンデンサと、前記正極電位または前記負極電位のいずれかの直流母線において、前記パワー半導体モジュールと前記第２のコンデンサとの間に接続され、前記パワー半導体モジュール側の第１端子と前記第２のコンデンサ側の第２端子を有する回路部品と、を有する電力変換装置であって、
前記第１のコンデンサの正極端子と前記第２のコンデンサの正極端子、前記第１のコンデンサの負極端子と前記第２のコンデンサの負極端子、前記パワー半導体モジュールの正極端子と前記第２のコンデンサの正極端子、前記パワー半導体モジュールの正極端子または負極端子と前記回路部品の第１端子、とは、それぞれ近傍に配置し、
前記第１のコンデンサの正極端子と負極端子を含む第１の延直線と、前記第２のコンデンサの正極端子と負極端子を含む第２の延直線と、前記回路部品の第１端子と第２端子を含む第３の延直線とは、それぞれ平行となり、
前記パワー半導体モジュールの正極端子と負極端子を含む第４の延直線とは、前記第１の延直線または前記第２の延直線または前記第３の延直線とそれぞれ垂直となるように配置されていることを特徴とする電力変換装置。
【請求項２】
正極電位と負極電位を有する直流母線と、前記直流母線間に接続される、正極端子と負極端子を有するパワー半導体モジュールと、正極端子と負極端子を有する第１のコンデンサと、正極端子と負極端子を有する第２のコンデンサと、前記正極電位または前記負極電位のいずれかの直流母線において、前記パワー半導体モジュールと前記第２のコンデンサとの間に接続され、前記パワー半導体モジュール側の第１端子と前記第２のコンデンサ側の第２端子を有する回路部品と、を有する電力変換装置であって、
前記第１のコンデンサの正極端子と前記第２のコンデンサの正極端子、前記第１のコンデンサの負極端子と前記第２のコンデンサの負極端子、前記パワー半導体モジュールの正極端子と前記第２のコンデンサの正極端子、前記パワー半導体モジュールの正極端子または負極端子と前記回路部品の第１端子、とは、それぞれ近傍に配置し、
前記第１のコンデンサの正極端子と負極端子を含む第１の延直線と、前記第２のコンデンサの正極端子と負極端子を含む第２の延直線とは、それぞれ平行となり、
前記回路部品の第１端子と第２端子を含む第３の延直線と、前記パワー半導体モジュールの正極端子と負極端子を含む第４の延直線とは、それぞれ平行となり、
前記第１の延直線または前記第２の延直線と前記第３の延直線または前記第４の延直線とそれぞれ垂直となるように配置されていることを特徴とする電力変換装置。
【請求項３】
正極電位と負極電位を有する直流母線と、前記直流母線間に接続される、正極端子と負極端子を有するパワー半導体モジュールと、正極端子と負極端子を有する第１のコンデンサと、正極端子と負極端子を有する第２のコンデンサと、前記正極電位または前記負極電位のいずれかの直流母線において、前記パワー半導体モジュールと前記第２のコンデンサとの間に接続され、前記パワー半導体モジュール側の第１端子と前記第２のコンデンサ側の第２端子を有する回路部品と、を有する電力変換装置であって、
前記第１のコンデンサの正極端子と前記第２のコンデンサの正極端子、前記第１のコンデンサの負極端子と前記第２のコンデンサの負極端子、前記パワー半導体モジュールの正極端子と前記第２のコンデンサの正極端子、前記パワー半導体モジュールの正極端子または負極端子と前記回路部品の第１端子、とは、それぞれ近傍に配置し、
前記第２のコンデンサの正極端子と負極端子を含む第２の延直線と、前記回路部品の第１端子と第２端子を含む第３の延直線と、前記パワー半導体モジュールの正極端子と負極端子を含む第４の延直線とにより、三角形を形成するように配置されていることを特徴とする電力変換装置。
【請求項４】
請求項１から３の何れか１項に記載の電力変換装置であって、
前記第１のコンデンサの正極端子及び負極端子と前記第２のコンデンサとの距離より、前記第２のコンデンサと前記回路部品との距離を近くするように配置することを特徴とする電力変換装置。
【請求項５】
正極電位と負極電位を有する直流母線と、前記直流母線間に接続される、正極端子と負極端子を有するパワー半導体モジュールと、正極端子と負極端子を有する第１のコンデンサと、正極端子と負極端子を有する第２のコンデンサと、正極端子と負極端子を有する第３のコンデンサと、前記正極電位または前記負極電位のいずれかの直流母線において、前記第２のコンデンサと前記第３のコンデンサとの間に接続され、前記第３のコンデンサ側の第１端子と前記第２のコンデンサ側の第２端子を有する回路部品と、を有する電力変換装置であって、
前記第１のコンデンサの正極端子と前記第２のコンデンサの正極端子、前記第１のコンデンサの負極端子と前記第２のコンデンサの負極端子、前記パワー半導体モジュールの正極端子と前記第３のコンデンサの正極端子、前記パワー半導体モジュールの負極端子と前記第３のコンデンサの負極端子、前記第３のコンデンサの正極端子と前記第２のコンデンサの正極端子、前記第３のコンデンサの正極端子または負極端子と前記回路部品の第１端子、とは、それぞれ近傍に配置し、
前記第１のコンデンサの正極端子と負極端子を含む第１の延直線と、前記第２のコンデンサの正極端子と負極端子を含む第２の延直線と、前記回路部品の第１端子と第２端子を含む第３の延直線とは、それぞれ平行となり、
前記第３のコンデンサの正極端子と負極端子を含む第４の延直線と、前記パワー半導体モジュールの正極端子と負極端子を含む第５の延直線とは、それぞれ平行となり、
前記第１の延直線または前記第２の延直線または前記第３の延直線と前記第４の延直線または前記第５の延直線とそれぞれ垂直となるように配置されていることを特徴とする電力変換装置。
【請求項６】
正極電位と負極電位を有する直流母線と、前記直流母線間に接続される、正極端子と負極端子を有するパワー半導体モジュールと、正極端子と負極端子を有する第１のコンデンサと、正極端子と負極端子を有する第２のコンデンサと、正極端子と負極端子を有する第３のコンデンサと、前記正極電位または前記負極電位のいずれかの直流母線において、前記第２のコンデンサと前記第３のコンデンサとの間に接続され、前記第３のコンデンサ側の第１端子と前記第２のコンデンサ側の第２端子を有する回路部品と、を有する電力変換装置であって、
前記第１のコンデンサの正極端子と前記第２のコンデンサの正極端子、前記第１のコンデンサの負極端子と前記第２のコンデンサの負極端子、前記パワー半導体モジュールの正極端子と前記第３のコンデンサの正極端子、前記パワー半導体モジュールの負極端子と前記第３のコンデンサの負極端子、前記第３のコンデンサの正極端子と前記第２のコンデンサの正極端子、前記第３のコンデンサの正極端子または負極端子と前記回路部品の第１端子、とは、それぞれ近傍に配置し、
前記第１のコンデンサの正極端子と負極端子を含む第１の延直線と、前記第２のコンデンサの正極端子と負極端子を含む第２の延直線とは、それぞれ平行となり、
前記回路部品の第１端子と第２端子を含む第３の延直線と、前記第３のコンデンサの正極端子と負極端子を含む第４の延直線と、前記パワー半導体モジュールの正極端子と負極端子を含む第５の延直線とは、それぞれ平行となり、
前記第１の延直線または前記第２の延直線と前記第３の延直線または前記第４の延直線または前記第５の延直線とそれぞれ垂直となるように配置されていることを特徴とする電力変換装置。
【請求項７】
正極電位と負極電位を有する直流母線と、前記直流母線間に接続される、正極端子と負極端子を有するパワー半導体モジュールと、正極端子と負極端子を有する第１のコンデンサと、正極端子と負極端子を有する第２のコンデンサと、正極端子と負極端子を有する第３のコンデンサと、前記正極電位または前記負極電位のいずれかの直流母線において、前記第２のコンデンサと前記第３のコンデンサとの間に接続され、前記第３のコンデンサ側の第１端子と前記第２のコンデンサ側の第２端子を有する回路部品と、を有する電力変換装置であって、
前記第１のコンデンサの正極端子と前記第２のコンデンサの正極端子、前記第１のコンデンサの負極端子と前記第２のコンデンサの負極端子、前記パワー半導体モジュールの正極端子と前記第３のコンデンサの正極端子、前記パワー半導体モジュールの負極端子と前記第３のコンデンサの負極端子、前記第３のコンデンサの正極端子と前記第２のコンデンサの正極端子、前記第３のコンデンサの正極端子または負極端子と前記回路部品の第１端子、とは、それぞれ近傍に配置し、
前記第２のコンデンサの正極端子と負極端子を含む第２の延直線と、前記回路部品の第１端子と第２端子を含む第３の延直線と、前記第３のコンデンサの正極端子と負極端子を含む第４の延直線とにより、三角形を形成するように配置されていることを特徴とする電力変換装置。
【請求項８】
請求項５から７の何れか１項に記載の電力変換装置であって、
前記第１のコンデンサの正極端子及び負極端子と前記第２のコンデンサとの距離より、前記第２のコンデンサと前記回路部品との距離を近くするように配置することを特徴とする電力変換装置。
【請求項９】
請求項１から４の何れか１項に記載の電力変換装置であって、
前記第１のコンデンサは平滑コンデンサであり、
前記第２のコンデンサはスナバコンデンサであり、
前記回路部品は電流検出回路であることを特徴とする電力変換装置。
【請求項１０】
請求項５から８の何れか１項に記載の電力変換装置であって、
前記第１のコンデンサは平滑コンデンサであり、
前記第２のコンデンサ及び第３のコンデンサはスナバコンデンサであり、
前記回路部品は電流検出回路であることを特徴とする電力変換装置。